(57)【要約】【課題】外部ビデオ信号表示機能と統合された携帯デバイスを提供する。【解決手段】本発明は、外部ビデオ信号表示機能と統合された携帯デバイスを提供する。前記デバイスが、ビデオ入力インターフェイスと、ディスプレイパネルと、ディスプレイチップと、パネルコントローラとを含む。ビデオ入力インターフェイスが外部ビデオを受信する。ディスプレイチップが内部ビデオを出力する。パネルコントローラが、第１入力インターフェイスと、第２入力インターフェイスと、出力インターフェイスとを含む。第１入力インターフェイスがビデオ入力インターフェイスに連結されて、外部ビデオを受信する。第２入力インターフェイスがディスプレイチップに連結されて、内部ビデオを受信する。出力インターフェイスがディスプレイパネルに連結される。ディスプレイパネルが外部ビデオまたは内部ビデオのいずれを表示するかが内部命令に基づいて決定される。【選択図】図１
2008028994.tif 000002
【特許請求の範囲】
【請求項１】
ディスプレイパネルと、
第１内部ビデオを提供するディスプレイチップと、
外部ビデオを受信するとともに、前記外部ビデオのフォーマットを第２内部ビデオに変換するパネルコントローラと、
前記ディスプレイパネルと前記ディスプレイチップと前記パネルコントローラとにそれぞれ接続され、前記第１内部ビデオおよび前記第２内部ビデオを受信するビデオ切換えデバイスとを含み、
前記ビデオ切換えデバイスは、内部命令を受信し、前記内部命令に基づいて前記第１内部ビデオまたは前記第２内部ビデオをディスプレイパネルに出力することを特徴とする、外部ビデオ信号表示機能と統合された携帯デバイス。
【請求項２】
オーディオ出力デバイスと、
外部オーディオを受信するオーディオ入力インターフェイスと、
それぞれ前記オーディオ出力デバイスおよび前記オーディオ入力インターフェイスに連結して、内部オーディオおよび前記外部オーディオを受信するオーディオ切換えデバイスと、を更に含み、
前記オーディオ切換えデバイスは、前記内部命令に基づいて前記内部オーディオまたは前記外部オーディオのいずれかを前記オーディオ出力デバイスに出力するかどうかを決定する請求項１記載の携帯デバイス。
【請求項３】
前記内部オーディオは、サウンドエンコーダ/デコーダにより発生される請求項２記載の携帯デバイス。
【請求項４】
ビデオＩ/Ｏデバイスと、
前記ディスプレイチップと前記ビデオＩ/Ｏデバイスにそれぞれ接続され、前記ディスプレイチップにより提供される出力ビデオ信号および前記内部命令を受信し、前記Ｉ/Ｏ切換えデバイスが前記内部命令に基づいて前記出力ビデオ信号を前記ビデオＩ/Ｏデバイスに出力する前記Ｉ/Ｏ切換えデバイスと、
をさらに備える請求項１記載の携帯デバイス。
【請求項５】
外部ビデオを受信するビデオ入力インターフェイスと、
ディスプレイパネルと、
内部ビデオを出力するディスプレイチップと、
前記ビデオ入力インターフェイスと前記ディスプレイパネルと前記ディスプレイチップにそれぞれ接続され、前記内部ビデオおよび前記外部ビデオを受信するパネルコントローラとを含み、
前記ビデオ切換えデバイスは、内部命令を受信するとともに、前記内部命令に基づいて前記内部ビデオまたは前記外部ビデオを前記ディスプレイパネルへ出力することを特徴とする、外部ビデオ信号表示機能と統合された携帯デバイス。
【請求項６】
オーディオ出力デバイスと、
外部オーディオを受信するオーディオ入力インターフェイスと、
前記オーディオ出力デバイスおよび前記オーディオ入力インターフェイスにそれぞれ接続され、内部オーディオおよび前記外部オーディオを受信するオーディオ切換えデバイスとを更に含み、
前記オーディオ切換えデバイスは、前記内部命令に基づいて前記内部オーディオまたは前記外部オーディオのいずれかを前記オーディオ出力デバイスに出力するかどうかを決定する請求項５記載の携帯デバイス。
【請求項７】
ビデオＩ/Ｏデバイスと、
前記ディスプレイチップおよび前記ビデオＩ/Ｏデバイスにそれぞれ接続され、前記ディスプレイチップにより提供された出力ビデオ信号および前記内部命令を受信して、前記内部命令に基づき前記出力ビデオ信号を前記ビデオＩ/Ｏデバイスへ出力するＩ/Ｏ切換えデバイスと、
を更に含む請求項５記載の携帯デバイス。
【請求項８】
外部ビデオを受信するビデオ入力インターフェイスと、
ディスプレイパネルと、
前記ビデオ入力インターフェイスおよび前記ディスプレイパネルに接続され、前記外部ビデオを受信し、前記外部ビデオのフォーマットを変換し、その後フォーマットを変換された前記外部ビデオを前記ディスプレイパネルへ出力するパネルコントローラと、
を含むことを特徴とする外部ビデオ信号表示機能と統合された携帯デバイス。
【請求項９】
第１内部ビデオを提供するディスプレイチップと、
前記ディスプレイチップと前記パネルコントローラと前記ディスプレイパネルとにそれぞれ接続されて、前記第１内部ビデオおよび変換されたフォーマットの前記外部ビデオを受信するビデオ切換えデバイスとを更に含み、
前記ビデオ切換えデバイスは、内部命令を受信するとともに、前記内部命令に基づいて前記内部ビデオまたは前記フォーマットが変換された外部ビデオを前記ディスプレイパネルに出力する請求項８記載の携帯デバイス。
【請求項１０】
ビデオＩ/Ｏデバイスと、
前記ディスプレイチップおよび前記ビデオＩ/Ｏデバイスにそれぞれ接続され、前記ディスプレイチップにより提供された出力ビデオ信号および前記内部命令を受信して、前記Ｉ/Ｏ切換えデバイスが前記内部命令に基づいて前記出力ビデオ信号を前記ビデオＩ/Ｏデバイスへ出力できるＩ/Ｏ切換えデバイスと、
を更に含む請求項８記載の携帯デバイス。
【発明の詳細な説明】
【技術分野】
【０００１】
本発明は、携帯デバイスに関し、特に、外部ビデオ信号表示機能と統合された携帯デバイスに関する。
【背景技術】
【０００２】
最近は、電子デバイスがコミュニケーション、スケジュール管理または文書処理のような多様なイベントを処理するために常用されている。技術の発展に伴い、電子デバイスの設計は、小型化および高携帯性に向かっている。携帯デバイスとは、ノートブックコンピュータのような持ち運び可能な電子デバイスのことである。
【０００３】
近年では、ノートブックコンピュータのコストが次第に低減され、その性能がデスクトップコンピュータに追いつきつつあるために、ノートブックコンピュータがデスクトップコンピュータに取って代わる傾向がある。いくつかの発展途上国では、ノートブックコンピュータの市場がデスクトップコンピュータのそれよりも一層急速に成長している。ノートブックコンピュータは、両者の価格が均衡化され、その性能が近似している状況においてデスクトップコンピュータに取って代わろうとしている。
【０００４】
家庭内娯楽用デジタル技術の向上に伴って、ノートブックコンピュータは外部ビデオ入力を支援し始めている。しかしながら、既存のノートパソコンは、480pまたは480iの標準定義（standard definition=SD）だけしか支援することができない。通常、前記のノートブックコンピュータは、ＡＶ端子またはＳ端子を介して外部ＳＤビデオを受信した後、ビデオデコーダでＳＤビデオにデコードする。
【発明の開示】
【発明が解決しようとする課題】
【０００５】
今日の市場において、多くのビデオ／オーディオプレーヤー（例えば、高解像度ＤＶＤプレーヤー）、電子ゲームコンソール（例えば、ＸＢＯＸ３６０，ＰＳ３）またはデジタルカメラ（例えば、ＳＯＮＹ ＨＤＲ−ＨＣ３）が、高解像度マルチメディアインターフェイス（high definition multimedia interface=HDMI）およびデジタルビジュアルインターフェイス（digital visual interface=DVI）のような高解像度ビデオ出力インターフェイスを備え始めている。しかしながら、今日まで前記インターフェイスを支援できるノートブックコンピュータが依然として存在していない。
【０００６】
（発明の目的）
従来技術の問題を解決するため、本発明は、外部ビデオ信号表示機能と統合された携帯デバイスを提供することを目的とする。
【課題を解決するための手段】
【０００７】
本発明は、外部ビデオ信号表示機能と統合された携帯デバイスを提供する。携帯デバイスは、ディスプレイパネルと、ディスプレイチップと、パネルコントローラと、ビデオ切換えデバイスを含むものである。ディスプレイチップが、第１内部ビデオを提供する。パネルコントローラが、外部ビデオを受信し、そのフォーマットを第２内部ビデオに変換する。ビデオ切換えデバイスが、それぞれディスプレイパネル、ディスプレイチップおよびパネルコントローラに連結され、第１内部ビデオおよび第２内部ビデオを受信する。ビデオ切換えデバイスが、更に内部命令を受信し、その内部命令に基づいて第１内部ビデオまたは第２内部ビデオをディスプレイパネルに出力する。このようにして、携帯デバイスのディスプレイパネルが外部から入力された高解像度表示信号を表示することができる。従って、携帯デバイスをモニターとして使用することができる。
【０００８】
本発明の典型的実施形態において、携帯デバイスは、更にオーディオ出力デバイスと、オーディオ入力インターフェイスと、オーディオ切換えデバイスとを含むものである。オーディオ入力インターフェイスが、外部オーディオを受信する。オーディオ切換えデバイスが、それぞれオーディオ入力インターフェイスおよびオーディオ出力デバイスに連結され、サウンドエンコーダ/デコーダにより提供される内部オーディオおよび外部オーディオを受信し、オーディオ切換えデバイスが、内部命令に基づいて内部オーディオまたは外部オーディオのいずれかをオーディオ出力デバイスに出力するかどうかを決定する。
【０００９】
本発明の典型的実施形態の携帯デバイスにおいて、内部命令が、組み込み型コントローラまたはサウスブリッジチップにより提供される。典型的実施形態中、外部オーディオインターフェイスが、ステレオ入力インターフェイスであることができる。外部ビデオが、ＨＤＭＩ信号、ＤＶＩ信号、ＲＧＢ信号またはＹＰｂＰｒ信号であることができ、第１内部ビデオおよび第２内部ビデオのフォーマットが、低電圧差動信号（low voltage differential signal=LVDS）フォーマットである。サウンドエンコーダ/デコーダが、ＡＣ９７エンコーダ/デコーダまたはＨＤオーディオエンコーダ/デコーダであることができる。
【００１０】
本発明の典型的実施形態において、携帯デバイスが、更に、ビデオＩ/ＯデバイスおよびＩ/Ｏ切換えデバイスを含むものである。Ｉ/Ｏ切換えデバイスが、それぞれディスプレイチップおよびビデオＩ/Ｏデバイスに連結され、ディスプレイチップにより提供された出力ビデオ信号および内部命令を受信するので、Ｉ/Ｏ切換えデバイスが、内部命令に基づいて出力ビデオ信号をビデオＩ/Ｏデバイスに出力することができる。
【００１１】
本発明の一形態は、ビデオ入力インターフェイスと、ディスプレイパネルと、ディスプレイチップと、パネルコントローラとを含む携帯デバイスを提供する。ビデオ入力インターフェイスが、外部ビデオを受信する。ディスプレイチップが、内部ビデオを出力する。パネルコントローラが、それぞれビデオ入力インターフェイスと、ディスプレイパネルと、ディスプレイチップとに連結され、内部ビデオおよび外部ビデオを受信する。ビデオ切換えデバイスが、内部命令を受信し、内部命令に基づいて内部ビデオまたは外部ビデオをディスプレイパネルに出力する。
【００１２】
本発明の一形態は、外部ビデオ信号表示機能と統合された携帯デバイスを提供する。携帯デバイスは、ビデオ入力インターフェイスと、ディスプレイパネルと、パネルコントローラとを含む。ビデオ入力インターフェイスが、外部ビデオを受信する。パネルコントローラが、ビデオ入力インターフェイスおよびディスプレイパネルに連結し、外部ビデオを受信する。パネルコントローラが、外部ビデオのフォーマットを変換した後、フォーマットの変換された外部ビデオをディスプレイパネルに出力する。
【００１３】
本発明の一形態において、パネルコントローラが、携帯デバイスに内蔵され、パネルコントローラが、外部から入力される高解像度ビデオ信号を受信できるので、携帯デバイスをモニターとして使用することができ、そのディスプレイパネルを介して外部から入力される高解像度ビデオ信号を表示することができる。本発明の幾つかの実施形態中、パネルコントローラが、更に、外部および内部ビデオから入力される高解像度ビデオ信号を受信および統合し、パネルコントローラが、そのディスプレイパネル上で画面内に画面（picture in picture=PIP）をまたは画面上に画面（picture on picture=POP）を表示する。従って、本発明の携帯デバイス、例えば、ノートブックコンピュータが、ＴＶまたは従来のデスクトップコンピュータのスクリーンに取って代わることができる。
【発明の効果】
【００１４】
本発明の典型的実施形態において、外部高解像度ビデオ信号を受信できるパネルコントローラが携帯デバイスに内蔵されるので、携帯デバイスが外部から入力される高解像度ビデオ信号を表示するモニターとして使用されることができる。更に、本発明の典型的実施形態に従い、携帯デバイスが、ＰＩＰまたはＰＯＰ方式で表示することによって、それ自身により発生される内部ビデオおよび外部から入力される高解像度ビデオ信号を同時に表示することができる。従って、本発明が提供する携帯デバイスは、現行のテレビまたは従来のデスクトップコンピュータのモニターに取って代わることができる。
【発明を実施するための最良の形態】
【００１５】
図１は、本発明の第１典型的実施形態に係る携帯デバイスの機能ブロック図である。本実施形態において、携帯デバイスがノートブックコンピュータであり、他の実施形態において、携帯デバイスがパームトップコンピュータ、タブレットＰＣ、ウルトラモバイルＰＣ（ultra mobile personal computer=UMPC）パーソナルデジタルアシスタント（personal digital assistant=PDA）または携帯電話であることができる。
【００１６】
図１中、携帯デバイスが、ディスプレイパネル１００と、ディスプレイチップ１０１と、パネルコントローラ１０２と、ビデオ切換えデバイス１０３とを含むものである。ビデオ切換えデバイス１０３が、それぞれディスプレイパネル１００と、ディスプレイチップ１０１と、パネルコントローラ１０２とに連結する。
【００１７】
ディスプレイチップ１０１が、出力インターフェイス１０１１を有して、ノートブックコンピュータの内部ビデオＩＶＳを出力し、その出力ビデオフォーマットが、例えば、ディスプレイパネル１００にとって許容可能な低電圧差動信号（low voltage differential signal=LVDS）フォーマットである。パネルコントローラ１０２が、入力インターフェイス１０２１および出力インターフェイス１０２２を有し、そのうち、入力インターフェイス１０２１が、外部ビデオＯＶＳを受信する。本実施形態中、外部ビデオＯＶＳが、ＨＤＭＩ信号であるが、他の実施形態中、外部ビデオＯＶＳが、ＤＶＩ信号、ＲＧＢ信号、ＹＰｂＰｒ信号または他の高解像度のビデオ信号であることができる。パネルコントローラ１０２が、ＨＤＭＩ信号を受信し、それをディスプレイパネル１００にとって許容可能なＬＶＤＳフォーマットの第２内部ビデオに変換する。
【００１８】
ビデオ切換えデバイス１０３が、第１ビデオインターフェイス１０３１と、第２ビデオインターフェイス１０３２と、ビデオ出力インターフェイス１０３３とを有する。ビデオ切換えデバイス１０３の第１ビデオインターフェイス１０３１が、ディスプレイチップ１０１の出力インターフェイス１０１１に連結され、ディスプレイチップ１０１により出力される内部ビデオＩＶＳを受信する。ビデオ切換えデバイス１０３の第２ビデオインターフェイス１０３２が、パネルコントローラ１０２の出力インターフェイス１０２２に連結され、パネルコントローラ１０２により提供される外部ビデオＯＶＳを受信する。ビデオ切換えデバイス１０３のビデオ出力インターフェイス１０３３が、ディスプレイパネル１００に連結される。ビデオ切換えデバイス１０３が、内部命令に基づいてディスプレイパネル１００が第１ビデオインターフェイス１０３１からの信号または第２ビデオインターフェイス１０３２からの信号のいずれを受信するかを決定する。即ち、ビデオ切換えデバイス１０３が、内部命令ＩＴに基づいて内部ビデオＩＶＳまたはフォーマットを変換された外部ビデオＯＶＳ（ここでは、フォーマットを変換された外部ビデオＯＶＳを第２内部ビデオとすることもできる）のいずれをディスプレイパネル１００に出力するかを決定する。
【００１９】
前記内部命令は、携帯デバイスのデフォルトファンクションキーを押下することにより発生させることができるが、他の実施形態中、内部命令は、キーの組み合わせを押下する（即ち、同時または連続して複数のキーを押下する）または携帯デバイス上のアプリケーションソフトウェアを実行することにより発生させることもできる。
【００２０】
例として上記される実施形態において、ノートブックコンピュータがモニターとして使用される時、本実施形態中の携帯デバイス（ノートブックコンピュータ）が２つの電源供給モード、即ちノーマルモードおよび省電モードで使用できる。ノーマル電源供給モードでは、電力が携帯デバイスシステム全てのデバイス、例えば、ディスプレイパネル、ＣＰＵ、ディスプレイチップ、チップセット、メモリーおよびハードディスクに供給される。省電モードでは、外部高解像度ビデオ信号を表示するための基板にのみ電力が供給され、例えば、ディスプレイパネルと、パネルコントローラと、ビデオ切換えデバイスとにのみ電力が供給される。従って、ノートブックコンピュータのディスプレイパネルが、高解像度ＤＶＤプレーヤーまたは電子ゲームコンソールにより出力されるイメージを再生することに使用することができる。
【００２１】
ここで、ユーザーが高解像度ＤＶＤプレーヤーまたは電子ゲームコンソールの信号ケーブルをノートブックコンピュータのビデオ入力端子に指し込んだ後、パネルコントローラ１０２の入力インターフェイス１０２１がビデオ入力端子を介して外部から入力される外部ビデオＯＶＳを受信することができる。続いて、ユーザーがノートブックコンピュータのファンクションキーを押下し、ビデオ切換えデバイス１０３が内部命令ＩＴを受信し、ビデオ信号経路切換えを行うが、例えば、ビデオ切換えデバイス１０３を介してディスプレイパネル１００に電気接続されたディスプレイチップ１０１の信号経路がビデオ切換えデバイス１０３を介してディスプレイパネル１００に電気接続されたパネルコントローラ１０２の信号経路に切換えられ、外部ビデオＯＶＳをパネルコントローラ１０２およびビデオ切換えデバイス１０３を介してディスプレイパネル１００に送信することができる。従って、本実施形態中のノートブックコンピュータがモニターの機能を実現または高解像度ＴＶに取って代わることができる。
【００２２】
更に、上記実施形態中、操作は、ノートブックコンピュータのファンクションキーを押下することにより行われるので、当業者であれば本実施形態を参照することによりノートブックコンピュータの電源をオンとせずにモニターとしてノートブックコンピュータを使用する機能を実現することができるので、ノートコンピュータの電力消費を減少させることができる（省電モード）。もちろん、他の実施形態中、ノートブックコンピュータがノーマル電源供給モードで動作して前記表示切換えを行うこともできる。
【００２３】
図２Ａは、本発明の第２典型的実施形態に係る携帯デバイスの機能ブロック図である。図２Ａにおいて、同様に、ノートブックコンピュータが携帯デバイスの例として使用される。ノートブックコンピュータがディスプレイパネル２００と、ディスプレイチップ２０１と、ビデオ入力インターフェイス２０２と、パネルコントローラ２０３とを含むものである。ビデオ入力インターフェイス２０２が外部ビデオＯＶＳを受信するが、ここでは、同様に、ＨＤＭＩ（high definition multimedia interface=HDMI）ビデオが外部ビデオの例として使用される。ディスプレイチップ２０１が内部ビデオＩＶＳを出力するが、ここでは、典型的なＲＧＢフォーマット信号が、内部ビデオＩＶＳの例として使用される。パネルコントローラ２０３が第１入力インターフェイス２０３１と、第２入力インターフェイス２０３２と、出力インターフェイス２０３３とを有し、そのうち、第１入力インターフェイス２０３１がビデオ入力インターフェイス２０２に連結されて、外部ビデオＯＶＳを受信し、第２入力インターフェイス２０３２がディスプレイチップ２０１に連結されて、内部ビデオＩＶＳを受信し、外部インターフェイス２０３３が、ディスプレイパネル２００に連結される。パネルコントローラ２０３が、内部命令ＩＴに基づいて外部ビデオＯＶＳ（ＨＤＭＩ）または内部ビデオＩＶＳ（ＶＧＡ信号）を出力信号として選択してディスプレイパネル２００の駆動チップに送信することができる。
【００２４】
図１の実施形態と図２Ａの実施形態との相違は、図２Ａに示される実施形態において、パネルコントローラ２０３が内部ビデオＩＶＳおよび外部ビデオＯＶＳを同時に受信し、ディスプレイパネル２００が内部命令ＩＴに基づいて外部ビデオＯＶＳまたは内部ビデオＩＶＳのいずれを表示するかを決定することである。ユーザーがノートブックコンピュータを高解像度ＤＶＤプレーヤーまたは電子ゲームコンソールのモニターとして使用したい時、ユーザーが、ノートブックコンピュータのファンクションキーを押下することで、ノートブックコンピュータがファンクションキーにより発生する信号を内部命令ＩＴに変換することができる。続いて、パネルコントローラ２０３が内部命令ＩＴを受信した後、パネルコントローラ２０３が外部ビデオＯＶＳをディスプレイパネル２００により許容可能なＬＶＤＳフォーマットに変換し、ディスプレイパネル２００が外部ビデオＯＶＳを表示することができる。
【００２５】
更に、パネルコントローラ２０３は、通常、現行技術中のスケーラＩＣ（scaler IC）で提供される。現行の高レベルスケーラＩＣを例とすると、スケーラＩＣは、通常、画面内の画面（picture in picture=PIP）または画面上の画面（picture on picture=POP）機能を支援し、そのようなスケーラＩＣは、通常、内蔵フレームバッファに配置される。他の実施形態中、パネルコントローラ２０３は、ＰＩＰまたはＰＯＰ機能を有する高レベルスケーラＩＣにより置き換えることができるので、ユーザーは、ノートブックコンピュータのファンクションキーを介してコマンドを発行することができ、そのコマンドは、上記機構を介して内部命令ＩＴに変換されて、パネルコントローラ２０３に送信され、ディスプレイパネル２００にＰＩＰまたはＰＯＰイメージを表示させる。
【００２６】
留意すべきことは、本実施形態中の携帯デバイスが２つの電源供給モード：即ちノーマルモードおよび省電モードで使用することができることである。ノーマル電源供給モードでは、電流は、携帯デバイスシステム全てのデバイスに供給される。省電モードでは、外部高解像度ビデオ信号を表示するための基板にのみ電流が供給され、例えば、ディスプレイパネルおよびパネルコントローラにのみ電流が供給される。
【００２７】
図２Ｂは、本発明の第３典型的実施形態に係る携帯デバイスの機能ブロック図である。図２Ｂにおいて、同様に、ここでは、図２Ａ中のノートブックコンピュータと同じくノートブックコンピュータが携帯デバイスの例として使用される。本実施例中、更に、フレームバッファ２０４と、Ｉ/Ｏ切換えデバイス２０５と、ビデオＩ/Ｏデバイス２０６とを含む。
【００２８】
Ｉ/Ｏ切換えデバイス２０５が入力インターフェイス２０５１と、出力インターフェイス２０５２と、Ｉ/Ｏインターフェイス２０５３とを有し、それぞれディスプレイチップ２０１と、パネルコントローラ２０３と、ビデオＩ/Ｏデバイス２０６とに連結される。本実施形態中、ビデオＩ/Ｏデバイス２０６が、プロジェクターに接続されるＤ-ＳＵＢ（D-Subminiature）インターフェイスであるが、他の実施形態中、ビデオＩ/Ｏデバイスが他の同等のビデオインターフェイスであることもできる。
【００２９】
ユーザーが発表（briefing）のために、ノートブックコンピュータをプロジェクターに接続しようとする場合、内部ビデオ出力命令がノートブックコンピュータのファンクションキーを押下することにより発生され、ノートブックコンピュータが内部ビデオ出力命令を内部命令ＩＴに変換した後、その内部命令をＩ/Ｏ切換えデバイス２０５に送信する。Ｉ/Ｏ切換えデバイス２０５が内部命令ＩＴに応答して内部ビデオＩＶＳをＤ−ＳＵＢインターフェイス２０６に送信する。
【００３０】
ノートブックコンピュータがモニターとして使用される時、ビデオ入力インターフェイス２０２が高解像度ＤＶＤプレーヤーまたは電子ゲームコンソールの高解像度出力ビデオに連結される。この場合、ノートブックコンピュータのファンクションキーが押下された後、パネルコントローラ２０３が外部ビデオＯＶＳおよびディスプレイチップ２０１により提供された内部ビデオＩＶＳの両方を受信し、外部ビデオＯＶＳおよび内部ビデオＩＶＳがフレームバッファ２０４に記録されて統合され、ディスプレイパネル２００がＰＩＰまたはＰＯＰを表示する（present）ことができる。
【００３１】
更に、本実施形態中のＤ−ＳＵＢインターフェイス２０６が外部ビデオに連結することもできる。例えば、ノートブックコンピュータがモニターとして使用される時、先ず、ユーザーが対応する信号源をＤ−ＳＵＢインターフェイス２０６に連結し、その後、ユーザーが、ノートブックコンピュータのファンクションキーを介してＤ−ＳＵＢ入力コマンドを発行する。ノートブックコンピュータがＤ−ＳＵＢ入力コマンドを内部命令ＩＴに変換し、内部命令ＩＴをＩ/Ｏ切換えデバイス２０５に送信する。Ｉ/Ｏ切換えデバイス２０５が内部命令ＩＴに応答してＤ−ＳＵＢインターフェイス２０６により入力された信号をパネルコントローラ２０３に送信する。次に、パネルコントローラ２０３がその第２入力インターフェイス２０３２により受信されるビデオ信号をディスプレイパネル２００により許容可能なフォーマットに変換するので、ディスプレイパネル２００がＤ−ＳＵＢインターフェイス２０６により入力されたビデオを表示することができる。もちろん、ここでは、ビデオ入力インターフェイス２０２が外部ビデオＯＶＳを同時に受信することもできる。
【００３２】
本実施形態と上記実施形態の類似する点は、いずれのビデオ信号もパネルコントローラ２０３を介してディスプレイパネル２００に送信されることである。このように、パネルコントローラ２０３がＰＩＰまたはＰＯＰ機能を有する時、携帯デバイスがフレームバッファ２０４の補助を有するＰＩＰまたはＰＯＰ方式で外部ビデオＯＶＳ、内部ビデオＩＶＳまたはＤ−ＳＵＢインターフェイス２０６により入力されるビデオのうち２つを同時に表示することができる。
【００３３】
言及すべきことは、外部ビデオ信号表示機能と統合された携帯デバイスの実施パターンが上記実施形態中に記載されるが、当業者であれば分かるように、携帯デバイスの設計は製造業者により多様に異なるものであり、従って、本発明がノートブックコンピュータ中の応用に制限されるものではないことである。言い換えれば、本発明は外部ビデオを受信するビデオ入力インターフェイスと、ビデオ入力インターフェイスに連結されるパネルコントローラと、パネルコントローラにより受信される変換された外部ビデオを表示するディスプレイパネルとを含む携帯デバイスであれば応用可能である。
【００３４】
本発明のいくつかの実施形態は、当業者が本発明を容易に実施できるように、更に、下記のようになっている。
【００３５】
図３は、本発明の第４典型的実施形態に係る携帯デバイスの機能ブロック図である。本実施形態は、図１に説明される実施形態に類似しているが、本実施形態では更に、オーディオ処理が実施され、その詳細は、図３を参照されたい。
【００３６】
本実施形態中、ディスプレイパネル２００と、ディスプレイチップ１０１と、パネルコントローラ１０２と、ビデオ切換えデバイス１０３との他に、携帯デバイスが更に、組み込み型コントローラ３０１と、ビデオＩ/Ｏデバイス３０２と、Ｉ/Ｏ切換えデバイス３０３と、オーディオ出力デバイス３０４と、内部オーディオプロバイダ３０５と、オーディオ入力インターフェイス３０６と、オーディオ切換えデバイス３０７とを含む。
【００３７】
組み込み型コントローラ３０１がそれぞれ外部入力デバイス（例えば、キーボードまたはノートブックコンピュータのファンクションキー）と、ビデオ切換えデバイス１０３と、Ｉ/Ｏ切換えデバイス３０３と、オーディオ切換えデバイス３０７とに連結される。従って、ノートブックコンピュータが外部ビデオＯＶＳを表示するために使用される時、ノートブックコンピュータのキーボードまたはファンクションキーを押下するだけで、組み込み型コントローラ３０１が入力されたコマンドを受信してから、内部命令ＩＴを出力して、ビデオ切換えデバイス１０３を制御し、ディスプレイパネル１００にＬＶＤＳフォーマットの外部ビデオＯＶＳを受信させる。もちろん、組み込み型コントローラ３０１が、下記されるように、Ｉ/Ｏ切換えデバイス３０３およびオーディオ切換えデバイス３０７の切換えを制御することもできる。
【００３８】
本実施形態中、オーディオ入力インターフェイス３０６が、外部オーディオＯＡＳ（アナログステレオおよびＨＤＭＩデジタルオーディオを含む）を受信するステレオ入力インターフェイスである。オーディオ切換えデバイス３０７がそれぞれオーディオ入力インターフェイス３０６と、内部オーディオプロバイダ３０５と、オーディオ出力デバイス３０４と、組み込み型コントローラ３０１とに連結される。
【００３９】
本実施形態中、内部オーディオプロバイダ３０５が、ＡＣ９７エンコーダ/デコーダまたはＨＤオーディオエンコーダ/デコーダのような典型的サウンドエンコーダ/デコーダであり、ノートブックコンピュータにより使用され、内部オーディオＩＡＳを作成する（producing）が、他の実施形態中、内部オーディオプロバイダ３０５が他の仕様のオーディオデコーダであることもできる。更に、本実施形態中、オーディオ出力デバイス３０４がノートブックコンピュータの内蔵型スピーカーであるが、他の実施形態中、オーディオ出力デバイス３０４が外部スピーカーまたは他のタイプの放送デバイスであることもできる。
【００４０】
オーディオ切換えデバイス３０７がサウンドエンコーダ/デコーダにより発生された内部オーディオおよびステレオ入力インターフェイス３０６により受信された外部オーディオを受信し、また、オーディオ切換えデバイス３０７が更に内部命令ＩＴに基づいて内部オーディオまたは外部オーディオのいずれをオーディオ出力デバイス３０４に出力するかどうかを決定する。その操作は、下記する通りである。
【００４１】
ノートブックコンピュータのキーボードまたはファンクションキーが押下されて、ノートブックコンピュータが外部ビデオＯＶＳを表示可能となる時、組み込み型コントローラ３０１により発生された内部命令ＩＴがビデオ切換えデバイス１０３へ出力されるのと同様にオーディオ切換えデバイス３０７に出力される。オーディオ切換えデバイス３０７が内部命令ＩＴを受信する時、オーディオ切換えデバイス３０７がオーディオ入力インターフェイス３０６により入力された外部オーディオＯＡＳをオーディオ出力デバイス３０４に送信する。
【００４２】
本実施形態において留意すべきことは、ノートブックコンピュータが高解像度外部ビデオＯＶＳを表示し、且つその内蔵スピーカーを介して外部オーディオＯＡＳを再生するモニターとして使用される時、ノートブックコンピュータが省電モードで操作することができることである。例えば、省電モードでは、高解像度ビデオ信号を表示するための基板だけが電流を供給されるので、電流消費を減少させるが、例えば、ディスプレイパネル１００と、パネルコントローラ１０２と、ビデオ切換えデバイス１０３と、組み込み型コントローラ３０１と、ビデオＩ/Ｏデバイス３０２と、Ｉ/Ｏ切換えデバイス３０３と、オーディオ出力デバイス３０４と、オーディオ切換えデバイス３０７とのみが電力を供給される。もちろん、他の実施形態中、ノートブックコンピュータが、ノーマル電源供給モードで動作して、上記操作を実行することもできる。
【００４３】
ノートブックコンピュータのキーボードまたはファンクションキー、あるいは他のデフォルトキーを押下して、ノートブックコンピュータを再びノーマルモードに戻して内部ビデオＩＶＳを表示させる時、ここでは組み込み型コントローラ３０１が対応する内部命令ＩＴを発生し、内部命令ＩＴをビデオ切換えデバイス１０３およびオーディオ切換えデバイス３０７に出力するので、オーディオ切換えデバイス３０７が内部命令ＩＴを受信した後、オーディオ切換えデバイス３０７がオーディオ経路を切り換える。従って、内部オーディオプロバイダ（ＡＣ９７またはＨＤオーディオ）により発生される内部オーディオＩＡＳがオーディオ出力デバイス３０４へ出力される。
【００４４】
更に、本実施形態中のＩ/Ｏ切換えデバイス３０３が、それぞれディスプレイチップ１０１と、パネルコントローラ１０２と、ビデオＩ/Ｏデバイス３０２と、組み込み型コントローラ３０１に連結される。本実施形態中、ビデオＩ/Ｏデバイス３０２がＤ−ＳＵＢインターフェイスであるが、他の実施形態中、ビデオＩ/Ｏデバイス３０２が他のビデオインターフェイスであることができる。
【００４５】
Ｉ/Ｏ切換えデバイス３０３がディスプレイチップ１０１および内部命令ＩＴにより提供される出力ビデオ信号を受信し、また、Ｉ/Ｏ切換えデバイス３０３が更に、内部命令ＩＴに基づいてビデオ信号をビデオＩ/Ｏデバイス３０２に出力するか、またはビデオＩ/Ｏデバイス３０２により受信される外部ビデオ信号をパネルコントローラ１０２に出力する。その操作は、例をともなって下記する通りである。
【００４６】
ノートブックコンピュータのキーボードまたはファンクションキーが押下されて、ノートブックコンピュータにビデオを外部ディスプレイデバイス（例えば、プロジェクター）へ出力させる時、組み込み型コントローラ３０１が対応する内部命令ＩＴを出力して、Ｉ/Ｏ切換えデバイス３０３を制御するので、ディスプレイチップ１０１により発生される出力ビデオ信号（ＲＧＢｏｕｔ）をビデオＩ/Ｏデバイス（Ｄ−ＳＵＢインターフェイス）３０２を介して外部ディスプレイデバイスに出力することができる。
【００４７】
ノートブックコンピュータのキーボードまたはファンクションキーが押下されて、ノートブックコンピュータにビデオＩ/Ｏデバイス（Ｄ−ＳＵＢインターフェイス）３０２を介して外部ビデオ信号を受信させる時、組み込み型コントローラ３０１が対応する内部命令ＩＴを発生するとともに、内部命令ＩＴをＩ/Ｏ切換えデバイス３０３およびビデオ切換えデバイス１０３に出力するので、ビデオＩ/Ｏデバイス３０２から入力されたビデオ信号がパネルコントローラ１０２に送信される。その後、パネルコントローラ１０２が受信した信号をディスプレイパネル１００にとって許容可能なＬＶＤＳフォーマットに変換し、且つビデオ切換えデバイス１０３が切換えを行うので、ディスプレイパネル１００がパネルコントローラ１０２により出力された信号を表示することができる。従って、本実施形態中の携帯デバイスがデスクトップコンピュータのモニターとして使用されることができる。
【００４８】
上記実施形態において、組み込み型コントローラ３０１が内部命令を作成することに使用されるが、当業者であれば分かるように組み込み型コントローラ３０１をサウスブリッジチップにより置き換えることができるが、ここでは記載しない。
【００４９】
図４は、本発明の第５典型的実施形態に係る携帯デバイスの機能ブロック図である。本実施形態は、図２に説明される第２実施形態に類似する。しかしながら、本実施形態中、オーディオ処理およびサウスブリッジチップが加えられており、その詳細は図４を参照されたい。
【００５０】
本実施形態中、ディスプレイパネル２００と、ディスプレイチップ２０１と、ビデオ入力インターフェイス２０２と、パネルコントローラ２０３との他に、携帯デバイスが更に、サウスブリッジチップ４０１と、ビデオＩ/Ｏデバイス４０２と、Ｉ/Ｏ切換えデバイス４０３と、オーディオ出力デバイス４０４と、内部オーディオプロバイダ４０５と、オーディオ入力インターフェイス４０６と、オーディオ切換えデバイス４０７とを含む。
【００５１】
サウスブリッジ４０１がそれぞれ外部入力デバイス（例えば、ノートブックコンピュータのキーボードまたはファンクションキー）と、パネルコントローラ２０３と、Ｉ/Ｏ切換えデバイス４０３と、オーディオ切換えデバイス４０７とに連結される。ノートブックコンピュータのキーボードまたはファンクションキーが押下されて、ノートブックコンピュータに外部ビデオＯＶＳを表示させる時、サウスブリッジチップ４０１により発生される内部命令ＩＴがパネルコントローラ２０３に送信されて、パネルコントローラ２０３を制御しビデオ経路の切換えを行うので、ディスプレイパネル２００がＬＶＤＳフォーマットの外部ビデオＯＶＳを受信することができる。
【００５２】
本実施形態中、オーディオ出力デバイス４０４と、内部オーディオプロバイダ４０５と、オーディオ入力インターフェイス４０６と、オーディオ切換えデバイス４０７との連結、ファンクションおよび操作は、図３に説明される実施例中のそれらに類似するので、改めて説明しない。更に、本実施形態中、ビデオＩ/Ｏデバイス４０２およびＩ/Ｏ切換えデバイス４０３の説明も、上記される第４実施形態中のそれらに類似するので、ここでは記載しない。
【００５３】
図２Ａ，図２Ｂ，図３，図４で説明される実施形態中のビデオ入力インターフェイス２０２およびビデオＩ/Ｏデバイス２０６，３０２，４０２は、使用するビデオアダプタにより異なるアダプタで提供されるビデオを全て受信することができる。図５は、本発明の第６典型的実施形態に係る携帯デバイスの機能ブロック図である。図５中の実施形態および図４中の実施形態の相違は、図４中のビデオ入力インターフェイス２０２が、図５中のＨＤＭＩインターフェイス５０１で置き換えられ、図４中のビデオＩ/Ｏデバイス４０２がＤＶＩインターフェイス５０２で置き換えられ、本実施形態中、更に、ＨＤＭＩ雄プラグをＤＶＩ雌ソケットに変換するビデオアダプタ５０３およびＤＶＩ雄プラグをＤ−ＳＵＢ雌ソケットに変換するアダプタ５０４が含まれる。
【００５４】
ユーザーがＤＶＩフォーマットで外部ビデオＯＶＳを入力し、それをノートブックコンピュータのスクリーン上に表示したければ、ＤＶＩビデオがＨＤＭＩ雄プラグをＤＶＩ雌ソケットに変換するビデオアダプタ５０３をビデオＩ/Ｏデバイス４０２に連結することにより入力されることができる。ユーザーがＤ−ＳＵＢフォーマットのビデオを入力したければ、Ｄ−ＳＵＢフォーマットがＤＶＩ雄プラグをＤ−ＳＵＢ雌ソケットに変換するアダプタ５０４を介してノートブックコンピュータに入力されることができる。ビデオアダプタを使用する主な長所は、ノートブックコンピュータが製造される時、多様なビデオ入力が、Ｄ−ＳＵＢビデオに対する型（mould）およびＤＶＩビデオに対する型を使用する代わりに１つの型を使用することにより支援されることができるので、製品競合性を向上させることができ、その製造コストを減少させることができる。
【００５５】
以上のごとく、この発明を最良の実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００５６】
【図１】本発明の第１典型的実施形態に係る携帯デバイスの機能ブロック図である。
【図２】（Ａ）は本発明の第２典型的実施形態に係る携帯デバイスの機能ブロック図である。（Ｂ）は本発明の第３典型的実施形態に係る携帯デバイスの機能ブロック図である。
【図３】本発明の第４典型的実施形態に係る携帯デバイスの機能ブロック図である。
【図４】本発明の第５典型的実施形態に係る携帯デバイスの機能ブロック図である。
【図５】本発明の第６典型的実施形態に係る携帯デバイスの機能ブロック図である。
【符号の説明】
【００５７】
１００  ディスプレイパネル
１０１  ディスプレイチップ
１０１１  出力インターフェイス
１０２  パネルコントローラ
１０２１  入力インターフェイス
１０２２  出力インターフェイス
１０３  ビデオ切換えデバイス
１０３１  第１ビデオインターフェイス
１０３２  第２ビデオインターフェイス
１０３３  ビデオ出力インターフェイス
２００  ディスプレイパネル
２０１  ディスプレイチップ
２０２  ビデオ入力インターフェイス
２０３  パネルコントローラ
２０３１  第１入力インターフェイス
２０３２  第２入力インターフェイス
２０３３  出力インターフェイス
２０４  フレームバッファ
２０５  Ｉ/Ｏ切換えデバイス
２０５１  入力インターフェイス
２０５２  出力インターフェイス
２０５３  Ｉ/Ｏインターフェイス
２０６  ビデオＩ/Ｏデバイス
３０１  組み込み型コントローラ
３０２  ビデオＩ/Ｏデバイス
３０３  Ｉ/Ｏ切換えデバイス
３０４  オーディオ出力デバイス
３０５  内部オーディオプロバイダ
３０６  オーディオ入力インターフェイス
３０７  オーディオ切換えデバイス
４０１  サウスブリッジチップ
４０２  ビデオＩ/Ｏデバイス
４０３  Ｉ/Ｏ切換えデバイス
４０４  オーディオ出力デバイス
４０５  内部オーディオプロバイダ
４０６  オーディオ入力インターフェイス
４０７  オーディオ切換えデバイス
５０１  ＨＤＭＩインターフェイス
５０２  ＤＶＩインターフェイス
５０３  ビデオアダプタ
５０４  アダプタ
ＩＡＳ  内部オーディオ
ＩＴ  内部命令
ＩＶＳ  内部ビデオ
ＯＡＳ  外部オーディオ
ＯＶＳ  外部ビデオ
【図１】
2008028994.tif 000003
【図２】
2008028994.tif 000004
【図３】
2008028994.tif 000005
【図４】
2008028994.tif 000006
【図５】
2008028994.tif 000007
【外国語明細書】
1. TITLE OF THE INVENTION
PORTABLE DEVICE INTEGRATED WITH EXTERNAL VIDEO SIGNAL DISPLAY FUNCTION
2. DETAILED DESCRIPTION OF INVENTION
BACKGROUND OF THE INVENTION
Field of Invention
[0001] The present invention relates to a portable device.  More particularly, the present invention relates to a portable device integrated with external video signal display function.
Description of Related Art
[0002] Nowadays, electronic devices are always used for processing various events, such as communication, schedule management, or word processing.  Along with the development of technology, the design of electronic device is going towards miniaturization and high portability.  Portable devices are electronic devices which can be carried around, such as a notebook computer.
[0003] Recently, notebook computer has the tendency to replace desktop computer for the cost of notebook computer is progressively reduced and the performance thereof is catching up with the performance of desktop computer.  In some developing countries, the market of notebook computers even grows faster than that of desktop computers.  Notebook computer is going to replace desktop computer in the situation that the prices of the two are leveled and the specifications thereof are similar.
[0004] Along with the rise of digital home entertainment technology, notebook computer starts to support external video input.  However, existing notebook computers can only support standard definition (SD), which is 480p or 480i.  Usually the foregoing notebook computers receive external SD video through AV terminal or S terminal and then decode the SD video with video decoder.
[0005] Besides, on today's market, many video/audio players (for example, high definition DVD player), electronic game consoles (for example, XBOX 360 or PS3), or digital cameras (for example, SONY HDR-HC3) have started to have high definition video output interfaces such as high definition multimedia interface (HDMI) and digital visual interface (DVI).  However, there is still no notebook computer which can support the foregoing interfaces until today.
SUMMARY OF THE INVENTION
[0006] Accordingly, the present invention is directed to a portable device integrated with external video signal display function to resolve the problems in conventional technology.
[0007] The present invention provides a portable device integrated with external video signal display function.  The portable device includes a display panel, a display chip, a panel controller, and a video switching device.  The display chip provides a first internal video.  The panel controller receives an external video and converts the format thereof into a second internal video.  The video switching device is respectively coupled to the display panel, the display chip, and the panel controller to receive the first internal video and the second internal video.  The video switching device further receives an internal instruction and outputs the first internal video or the second internal video to the display panel according to the internal instruction.  Thus, the display panel of the portable device can display high definition display signal input from external; accordingly, the portable device can be used as a monitor.
[0008] According to an exemplary embodiment of the present invention, the portable device further includes an audio output device, an audio input interface, and an audio switching device.  The audio input interface receives an external audio.  The audio switching device is respectively coupled to the audio input interface and the audio output device to receive an internal audio provided by a sound encoder/decoder and the external audio, and the audio switching device determines whether to output the internal audio or the external audio to the audio output device according to the internal instruction.
[0009] According to the portable device in an exemplary embodiment of the present invention, the internal instruction is provided by an embedded controller or a south bridge chip.  In an exemplary embodiment, the external audio interface may be a stereo input interface.  The external video may be a HDMI signal, a DVI signal, a RGB signal, or an YPbPr signal, and the formats of the first internal video and the second internal video is a low voltage differential signal (LVDS) format.  The sound encoder/decoder may be an AC97 encoder/decoder or a HD audio encoder/decoder.
[0010] According to an exemplary embodiment of the present invention, the portable device further includes a video I/O device and an I/O switching device.  The I/O switching device is respectively coupled to the display chip and the video I/O device and receives an output video signal provided by the display chip and the internal instruction, so that the I/O switching device can output the output video signal to the video I/O device according to the internal instruction.
[0011] The present invention provides a portable device including a video input interface, a display panel, a display chip, and a panel controller.  The video input interface receives an external video.  The display chip outputs an internal video.  The panel controller is respectively coupled to the video input interface, the display panel, and the display chip to receive the internal video and the external video.  The video switching device receives an internal instruction and outputs the internal video or the external video to the display panel according to the internal instruction.
[0012] The present invention provides a portable device integrated with external video signal display function.  The portable device includes a video input interface, a display panel, and a panel controller.  The video input interface receives an external video.  The panel controller is coupled to the video input interface and the display panel to receive the external video.  The panel controller converts the format of the external video and then outputs the external video of converted format to the display panel.
[0013] According to the present invention, a panel controller is built in a portable device and the panel controller can receive a high definition video signal input from external, thus, the portable device can be used as a monitor and can display the high definition video signal input from external through the display panel thereof.  In some embodiments of the present invention, the panel controller further receives and integrates a high definition video signal input from external and an internal video, and the panel controller presents a picture in picture (PIP) or a picture on picture (POP) on the display panel thereof.  Accordingly, the portable device of the present invention, for example, a notebook computer, can replace a TV or a conventional screen of a desktop computer.
[0014] In order to make the aforementioned and other objects, features and advantages of the present invention comprehensible, a preferred embodiment accompanied with figures is described in detail below. 
DESCRIPTION OF EMBODIMENTS
[0015] The accompanying drawings are included to provide a further understanding of the invention, and are incorporated in and constitute a part of this specification.  The drawings illustrate embodiments of the invention and, together with the description, serve to explain the principles of the invention.
[0016] FIG. 1 is a functional block diagram of a portable device according to the first exemplary embodiment of the present invention.  In the present embodiment, the portable device is a notebook computer, and in other embodiments, the portable device may be a palmtop computer, a tablet PC, a UMPC, a personal digital assistant (PDA), or a mobile phone.
[0017] In FIG. 1, the portable device includes a display panel 100, a display chip 101, a panel controller 102, and a video switching device 103.  The video switching device 103 is respectively coupled to the display panel 100, the display chip 101, and the panel controller 102.
[0018] The display chip 101 has an output interface 1011 for outputting an internal video IVS of the notebook computer, and the output video format thereof is, for example, low voltage differential signal (LVDS) format which is acceptable to the display panel 100.  The panel controller 102 has an input interface 1021 and an output interface 1022, wherein the input interface 1021 receives an external video OVS.  In the present embodiment, the external video OVS is a HDMI signal, while in other embodiments, the external video OVS may be a DVI signal, a RGB signal, an YPbPr signal, or any other high definition video signal.  The panel controller 102 receives the HDMI signal and converts it into a second internal video of LVDS format which is acceptable to the display panel 100.
[0019] The video switching device 103 has a first video interface 1031, a second video interface 1032, and a video output interface 1033.  The first video interface 1031 of the video switching device 103 is coupled to the output interface 1011 of the display chip 101 to receive the internal video IVS output by the display chip 101.  The second video interface 1032 of the video switching device 103 is coupled to the output interface 1022 of the panel controller 102 to receive the external video OVS provided by the panel controller 102.  The video output interface 1033 of the video switching device 103 is coupled to the display panel 100.  The video switching device 103 determines whether the display panel 100 receives a signal from the first video interface 1031 or a signal from the second video interface 1032 according to an internal instruction.  That is, the video switching device 103 determines whether to output the internal video IVS or the external video OVS of converted format (here the external video OVS of converted format may also be referred to as the second internal video) to the display panel 100 according to an internal instruction IT.
[0020] The foregoing internal instruction can be generated by pressing down a default function key of the portable device, while in other embodiments, the internal instruction may also be generated by pressing down a key combination (i.e. pressing down a plurality of keys at the same time or in sequence) or by executing an application software on the portable device.
[0021] With the embodiment described above as example, the portable device in the present embodiment (the notebook computer) can be used in two power supply modes, namely a normal mode and a power-saving mode, when the notebook computer is to be used as a monitor.  In normal power supply mode, electricity is supplied to devices of the entire portable device system, for example, the display panel, the CPU, the display chip, the chipset, the memory, and the hard disk.  In power-saving mode, only the circuits for displaying external high definition video signal are supplied with electricity, for example, only the display panel, the panel controller, and the video switching device are supplied with electricity.  Accordingly, the display panel of the notebook computer can be used for playing images output by a high definition DVD player or an electronic game console.
[0022] Here the user just plugs the signal cable of the high definition DVD player or the electronic game console into the video input port of the notebook computer first, and then the input interface 1021 of the panel controller 102 can receive the external video OVS input from external through the video input port.  Next, the user presses down the function key of the notebook computer so that the video switching device 103 receives the internal instruction IT to perform video signal path switching, for example, the signal path of the display chip 101 electrically connected to the display panel 100 through the video switching device 103 is switched to the signal path of the panel controller 102 electrically connected to the display panel 100 through the video switching device 103, so that the external video OVS can be sent to the display panel 100 through the panel controller 102 and the video switching device 103.  Accordingly, the notebook computer in the present embodiment can accomplish the functions of a monitor or for replacing a high definition TV.
[0023] Moreover, since in the embodiment described above, the operation is performed by pressing down the function key of the notebook computer, those skilled in the art should be able to accomplish the function of using the notebook computer as a monitor without turning on the power of the notebook computer completely (power-saving mode) by referring to the present embodiment, so that the power consumption of the notebook computer can be reduced.  Certainly, in other embodiments, the notebook computer can also work in normal power supply mode to perform foregoing display switching.
[0024] FIG. 2A is a functional block diagram of a portable device according to the second exemplary embodiment of the present invention.  Referring to FIG. 2A, similarly, a notebook computer is used as an example of the portable device.  The notebook computer includes a display panel 200, a display chip 201, a video input interface 202, and a panel controller 203.  The video input interface 202 receives an external video OVS, and here, similarly, a HDMI video is used as an example of the external video.  The display chip 201 outputs an internal video IVS, and here a typical RGB format signal is used as an example of the internal video IVS.  The panel controller 203 has a first input interface 2031, a second input interface 2032, and an output interface 2033, wherein the first input interface 2031 is coupled to the video input interface 202 to receive the external video OVS, the second input interface 2032 is coupled to the display chip 201 to receive the internal video IVS, and the output interface 2033 is coupled to the display panel 200.  The panel controller 203 can select the external video OVS (HDMI) or the internal video IVS (VGA signal) as the output signal to be sent to the driving chip of the display panel 200 according to an internal instruction IT.
[0025] Please note, the difference of the embodiment in FIG. 2A from the embodiment in FIG. 1 is that in the embodiment shown in FIG. 2A, the panel controller 203 receives the video IVS and the video OVS at the same time and determines whether the display panel 200 displays the external video OVS or the internal video IVS according to the internal instruction IT.  When a user wishes to use the notebook computer as a monitor of a high definition DVD player or an electronic game console, he/she presses down the function key of the notebook computer so that the notebook computer can convert the signal generated by the function key into the internal instruction IT.  Next, after the panel controller 203 receives the internal instruction IT, the panel controller 203 converts the external video OVS into LVDS format acceptable by the display panel 200 so that the display panel 200 can display the external video OVS.
[0026] In addition, the panel controller 203 is usually implemented with a scaler IC in current technology.  With an existing high level scaler IC as example, the scaler IC usually supports picture in picture (PIP) or picture on picture (POP) function, and such scaler IC is usually disposed with a built-in frame buffer.  In other embodiments, the panel controller 203 may also be replaced by a high level scaler IC having PIP or POP function so that the user can issue a command through the function key of the notebook computer, and the command is converted into an internal instruction IT through the mechanism described above and sent to the panel controller 203 to allow the display panel 200 to display PIP or POP images.
[0027] It should be noted that the portable device in the present embodiment can be used in two power supply modes: namely a normal mode and a power-saving mode.  In normal power supply mode, electricity is supplied to the devices of the entire portable device system.  In power-saving mode, only the circuits for displaying external high definition video signal are supplied with electricity, for example, only the display panel and the panel controller are supplied with electricity.
[0028] FIG. 2B is a functional block diagram of a portable device according to the third exemplary embodiment of the present invention.  Referring to FIG. 2B, similarly, here a notebook computer, which is similar to the notebook computer in FIG. 2A, is used as an example of the portable device.  In the present embodiment, a frame buffer 204, an I/O switching device 205, and a video I/O device 206 are further included.
[0029] The I/O switching device 205 has an input interface 2051, an output interface 2052, and an I/O interface 2053 respectively coupled to the display chip 201, the panel controller 203, and the video I/O device 206.  In the present embodiment, the video I/O device is a D-SUB interface to be connected to a projector, while in other embodiments, the video I/O device may also be other equivalent video interfaces.
[0030] If the user want to connect the notebook computer to a projector for briefing, an internal video output instruction is generated by pressing down the function key of the notebook computer, and the notebook computer converts the internal video output instruction into an internal instruction IT and then sends the internal instruction IT to the I/O switching device 205.  The I/O switching device 205 transmits the internal video IVS to the D-SUB interface 206 in response to the internal instruction IT.
[0031] When the notebook computer is used as a monitor, the video input interface 202 is coupled to the high definition output video of a high definition DVD player or an electronic game console.  In this case, after the function key of the notebook computer is pressed down, the panel controller 203 receives both the external video OVS and the internal video IVS provided by the display chip, and the external video OVS and the internal video IVS are registered in the frame buffer 204 to be integrated, so that the display panel 200 can present PIP or POP.
[0032] Moreover, the D-SUB interface 206 in the present embodiment may also be coupled to an external video.  For example, when the notebook computer is used as a monitor, first the user couples the corresponding signal source to the D-SUB interface 206, then he/she issues a D-SUB input command through the function key of the notebook computer.  The notebook computer converts the D-SUB input command into an internal instruction IT and sends the internal instruction IT to the I/O switching device 205.  The I/O switching device 205 sends the signal input by the D-SUB interface 206 to the panel controller 203 in response to the internal instruction IT.  Next, the panel controller 203 converts the video signal received by the second input interface 2032 thereof into a format acceptable by the display panel 200 so that the display panel 200 can display the video input by the D-SUB interface 206.  Certainly, here the video input interface 202 may also receive the external video OVS at the same time.
[0033] The similarity of the present embodiment and the embodiment described above is that all the video signals are sent to the display panel 200 through the panel controller 203.  Thus, when the panel controller 203 has PIP or POP function, the portable device can display two of the external video OVS, the internal video IVS, or the video input by the D-SUB interface 206 at the same time in PIP or POP manner with the assistance of the frame buffer 204.
[0034] It should be mentioned that even though an implementation pattern of the portable device integrated with external video signal display function has been described in foregoing embodiments, however, it should be understood by those having ordinary knowledge in the art that the design of the portable device varies with different manufacturers, thus, the present invention is not limited to the application in notebook computers.  In other words, the present invention is applicable as long as the portable device includes a video input interface for receiving an external video, a panel control coupled to the video input interface, and a display panel displaying a converted external video received by the panel controller.
[0035] Several embodiments of the present invention will be further described below so that those skilled in the art can implement the present invention with ease.
[0036] FIG. 3 is a functional block diagram of a portable device according to the fourth exemplary embodiment of the present invention.  The present embodiment is similar to the first embodiment illustrated in FIG. 1, however, audio processing is further implemented in the present embodiment, and please refer to FIG. 3 for the description thereof.
[0037] In the present embodiment, besides the display panel 200, the display chip 101, the panel controller 102, and the video switching device 103, the portable device further includes an embedded controller 301, a video I/O device 302, an I/O switching device 303, an audio output device 304, an internal audio provider 305, an audio input interface 306, and an audio switching device 307.
[0038] The embedded controller 301 is respectively coupled to an external input device (for example, the keyboard or the function key of the notebook computer), the video switching device 103, the I/O switching device 303, and the audio switching device 307.  Accordingly, when the notebook computer is used for displaying the external video OVS, just press down the keyboard or the function key of the notebook computer, the embedded controller 301 receives the inputted command and then outputs the internal instruction IT to control the video switching device 103 and allow the display panel 100 to receive the external video OVS of LVDS format.  Certainly, the embedded controller 301 also controls the switching of the I/O switching device 303 and the audio switching device 307, which will be described below.
[0039] In the present embodiment, the audio input interface 306 is a stereo input interface for receiving an external audio OAS (including analog stereo and HDMI digital audio).  The audio switching device 307 is respectively coupled to the audio input interface 306, the internal audio provider 305, the audio output device 304, and the embedded controller 301.
[0040] In the present embodiment, the internal audio provider 305 is a typical sound encoder/decoder, such as an AC97 encoder/decoder or a HD Audio encoder/decoder, used by notebook computers for producing the internal audio IAS, while in other embodiments, the internal audio provider 305 may also be an audio decoder of other specifications.  In addition, in the present embodiment, the audio output device 304 is a built-in speaker of the notebook computer, while in other embodiments, the audio output device 304 may also be an external speaker or other type of broadcasting device.
[0041] The audio switching device 307 receives an internal audio generated by the sound encoder/decoder and an external audio received by the stereo input interface, besides, the audio switching device 307 further determines whether to output the internal audio or the external audio to the audio output device 304 according to the internal instruction IT.  The operation will be further described below.
[0042] When the keyboard or function key of the notebook computer is pressed down to enable the notebook computer display the external video OVS, the internal instruction IT generated by the embedded controller 301 is output to the audio switching device 307 as well as to the video switching device 103.  When the audio switching device 307 receives the internal instruction IT, the audio switching device 307 sends the external audio OAS input by the audio input interface 306 to the audio output device 304.
[0043] It should be noted that in the present embodiment, the notebook computer can operation in a power-saving mode when the notebook computer is used as a monitor for displaying the high definition external video OVS and playing the external audio OAS through the built-in speaker thereof.  For example, in the power-saving mode, only circuits for displaying the high definition video signal are supplied with electricity, so as to reduce electricity consumption, for example, only the display panel 100, the panel controller 102, the video switching device 103, the embedded controller 301, the video I/O device 302, the I/O switching device 303, the audio output device 304, and the audio switching device 307 are supplied with power.  Certainly, in other embodiments, the notebook computer may also work in a normal power supply mode to execute the operations described above.
[0044] When the keyboard or function key, or other default key, of the notebook computer is pressed down again to le the notebook computer return to the normal mode to display the internal video IVS, here the embedded controller 301 generates a corresponding internal instruction IT and outputs the internal instruction IT to the video switching device 103 and the audio switching device 307, so that the audio switching device 307 switches the audio path after the audio switching device 307 receives the internal instruction IT.  Accordingly, the internal audio IAS generated by the internal audio provider (AC97 or HD Audio) is output to the audio output device 304.
[0045] In addition, the I/O switching device 303 in the present embodiment is respectively coupled to the display chip 101, the panel controller 102, the video I/O device 302, and the embedded controller 301.  In the present embodiment, the video I/O device 302 is also a D-SUB interface, while in other embodiments, the video I/O device 302 may be other video interface.
[0046] The I/O switching device 303 receives an output video signal provided by the display chip 101 and the internal instruction IT, besides, the I/O switching device 303 further outputs the video signal to the video I/O device 302 according to the internal instruction IT, or the external video signal received by the video I/O device 302 to the panel controller 102.  The operation will be described below with examples.
[0047] When the keyboard or function key of the notebook computer is pressed down to allow the notebook computer to output a video to an external display device (for example, a projector), the embedded controller 301 outputs an corresponding internal instruction IT to control the I/O switching device 303, so that the output video signal (RGB out) generated by the display chip 101 can be output to the external display device through the video I/O device (D-SUB interface) 302.
[0048] When the keyboard or function key of the notebook computer is pressed down to allow the notebook computer to receive an external video signal through the video I/O device (D-SUB interface) 302, the embedded controller 301 generates a corresponding internal instruction IT and outputs the internal instruction IT to the I/O switching device 303 and the video switching device 103, so that the video signal input from the video I/O device 302 is sent to the panel controller 102.  Then the panel controller 102 converts the received signal into LVDS format acceptable to the display panel 100 and the video switching device 103 performs switching, so that the display panel 100 can display the signal output by the panel controller 102.  Accordingly, the portable device in the present embodiment can be used as the monitor of a desktop computer.
[0049] Even though the embedded controller 301 is used for producing the internal instruction IT in the embodiment described above, it should be understood by those having ordinary knowledge in the art that the embedded controller 301 may also be replaced by a south bridge chip, which will not be described herein.
[0050] FIG. 4 is a functional block diagram of a portable device according to the fifth exemplary embodiment of the present invention.  The present embodiment is similar to the second embodiment illustrated in FIG. 2.  However, audio processing and a south bridge chip are added in the present embodiment, and please refer to FIG. 4 for the description thereof.
[0051] In the present embodiment, besides the display panel 200, the display chip 201, the video input interface 202, and the panel controller 203, the portable device further includes a south bridge chip 401, a video I/O device 402, an I/O switching device 403, an audio output device 404, an internal audio provider 405, an audio input interface 406, and an audio switching device 407.
[0052] The south bridge chip 401 is respectively coupled to an external input device (for example, the keyboard or function key of the notebook computer), the panel controller 203, the I/O switching device 403, and the audio switching device 407.  When the keyboard or the function key of the notebook computer is pressed down to make the notebook computer to display the external video OVS, the internal instruction IT generated by the south bridge chip 401 is sent to the panel controller 203 to control the panel controller 203 to perform video path switching, so that the display panel 200 can receive the external video OVS of LVDS format.
[0053] In the present embodiment, the couplings, functions, and operations of the audio output device 404, the internal audio provider 405, the audio input interface 406, and the audio switching device 407 are similar to those in the embodiment illustrated in FIG. 3, therefore will not be described herein.  In addition, the descriptions of the video I/O device 402 and the I/O switching device 403 in the present embodiment are also similar to those in the fourth embodiment described above, therefore will not be described herein.
[0054] The video input interface 202 and the video I/O devices 206, 302, 402 in the embodiments illustrated in FIGs. 2A, 2B, 3, and 4 can all receive videos provided by different adaptors by using a video adaptor.  Please refer to FIG. 5, which is a functional block diagram of a portable device according to the sixth exemplary embodiment of the present invention.  The difference between the embodiment in FIG. 5 and the embodiment in FIG. 4 is that the video input interface 202 in FIG. 4 is replaced with a HDMI interface 501 in FIG. 5, and the video I/O device 402 in FIG. 4 is replaced with a DVI interface 502, and in the present embodiment, a video adaptor 503 for converting HDMI male plug to DVI female socket and an adaptor 504 for converting DVI male plug to D-SUB female socket are further included.
[0055] If the user wants to input the external video OVS in DVI format and display it on the screen of the notebook computer, the DVI video can be input by coupling the video adaptor 503 for converting HDMI male plug to DVI female socket to the video I/O device 402.  If the user wants to input a video of D-SUB format, the video of D-SUB format can be input to the notebook computer through the adaptor 504 for converting DVI male plug to D-SUB female socket.  The major advantage of using video adaptor is that when the notebook computer is manufactured, various video inputs can be supported by only using one mould instead of using one mould for D-SUB video and another mould for DVI video, accordingly, the product competitiveness can be increased and the manufacturing cost thereof can be reduced.
[0056] In overview, according to exemplary embodiments of the present invention, a panel controller which can receive external high definition video signal is built in a portable device so that the portable device can be used as a monitor for displaying high definition video signal input from external.  Moreover, according to exemplary embodiments of the present invention, the portable device can display an internal video generated by itself and a high definition video signal input from external at the same time by presenting them in PIP or POP manner.  Accordingly, the portable device provided by the present invention can replace an existing TV or the conventional monitor of a desktop computer.
[0057] It will be apparent to those skilled in the art that various modifications and variations can be made to the structure of the present invention without departing from the scope or spirit of the invention.  In view of the foregoing, it is intended that the present invention cover modifications and variations of this invention provided they fall within the scope of the following claims and their equivalents.
BRIEF DESCRIPTION OF DRAWINGS
FIG. 1 is a functional block diagram of a portable device according to the first exemplary embodiment of the present invention.
FIG. 2A is a functional block diagram of a portable device according to the second exemplary embodiment of the present invention.
FIG. 2B is a functional block diagram of a portable device according to the third exemplary embodiment of the present invention.
FIG. 3 is a functional block diagram of a portable device according to the fourth exemplary embodiment of the present invention.
FIG. 4 is a functional block diagram of a portable device according to the fifth exemplary embodiment of the present invention.
FIG. 5 is a functional block diagram of a portable device according to the sixth exemplary embodiment of the present invention.
1.   A portable device integrated with external video signal display function, the portable device comprising: 
a display panel;
a display chip, for providing a first internal video;
a panel controller, for receiving an external video and converting a format of the external video into a second internal video; and
a video switching device, respectively coupled to the display panel, the display chip, and the panel controller to receive the first internal video and the second internal video, wherein the video switching device receives an internal instruction and outputs the first internal video or the second internal video to the display panel according to the internal instruction.
2.   The portable device as claimed in claim 1 further comprising:
an audio output device;
an audio input interface, for receiving an external audio; and
an audio switching device, respectively coupled to the audio output device and the audio input interface to receive an internal audio and the external audio, wherein the audio switching device determines whether to output the internal audio or the external audio to the audio output device according to the internal instruction.
3.   The portable device as claimed in claim 2, wherein the internal audio is generated by a sound encoder/decoder.
4.   The portable device as claimed in claim 1 further comprising:
a video I/O device; and
an I/O switching device, respectively coupled to the display chip and the video I/O device, the I/O switching device receiving an output video signal provided by the display chip and the internal instruction, so that the I/O switching device can output the output video signal to the video I/O device according to the internal instruction.
5.   A portable device integrated with external video signal display function, the portable device comprising:
a video input interface, for receiving an external video;
a display panel;
a display chip, for outputting an internal video; and
a panel controller, respectively coupled to the video input interface, the display panel, and the display chip to receive the internal video and the external video, wherein a video switching device receives an internal instruction and output the internal video or the external video to the display panel according to the internal instruction.
6.   The portable device as claimed in claim 5 further comprising:
an audio output device;
an audio input interface, for receiving an external audio; and
an audio switching device, respectively coupled to the audio output device and the audio input interface, the audio switching device receiving an internal audio and the external audio, wherein the audio switching device determines whether to output the internal audio or the external audio to the audio output device according to the internal instruction.
7.   The portable device as claimed in claim 5, further comprising:
a video I/O device; and
an I/O switching device, respectively coupled to the display chip and the video I/O device, for receiving an output vide signal provided by the display chip and the internal instruction, so that the I/O switching device can output the output video signal to the video I/O device according to the internal instruction.
8.   A portable device integrated with external video signal display function, the portable device comprising:
a video input interface, for receiving an external video;
a display panel; and
a panel controller, coupled to the video input interface and the display panel to receive the external video, for converting the format of the external video and then outputting the external video of converted format to the display panel.
9.   The portable device as claimed in claim 8 further comprising:
a display chip, for providing a first internal video; and 
a video switching device, respectively coupled to the display chip, the panel controller, and the display panel to receive the first internal video and the external video of converted format, wherein the video switching device receives an internal instruction and outputs the first internal video or the external video of converted format to the display panel according to the internal instruction.
10.   The portable device as claimed in claim 8 further comprising:
a video I/O device; and
an I/O switching device, respectively coupled to the display chip and the video I/O device, for receiving an output video signal provided by the display chip and the internal instruction, so that the I/O switching device can output the output video signal to the video I/O device according to the internal instruction.
１．Abstract
A portable device integrated with external video signal display function is provided.  The device includes a video input interface, a display panel, a display chip, and a panel controller.  The video input interface receives an external video.  The display chip outputs an internal video.  The panel controller includes a first input interface, a second input interface, and an output interface.  The first input interface is coupled to the video input interface to receive the external video.  The second input interface is coupled to the display chip to receive the internal video.  The output interface is coupled to the display panel.  Whether the display panel displays the external video or the internal video is determined according to an internal instruction.
２．Representative Drawing
Fig.1
【図１】
2008028994.tif 000008
【図２】
2008028994.tif 000009
【図３】
2008028994.tif 000010
【図４】
2008028994.tif 000011
【図５】
2008028994.tif 000012